(57)【要約】【課題】開口が下向きになった場合にも、スライドガラスが脱落するのを抑制することが可能な収納具を提供する。【解決手段】この収容具（マガジン２００）は、スライドガラス１００を出し入れするための開口２００ｂと、開口２００ｂを介して複数のスライドガラス１００を並べて収納するための収納部とを備えている。収納部は、複数のスライドガラス１００をそれぞれ載置するための複数の棚状部２３１と、複数の棚状部２３１にそれぞれ載置された複数のスライドガラス１００の上面または下面を押圧して、複数のスライドガラス１００を複数の棚状部２３１にそれぞれ押し付ける複数の板バネ２５１とを含む。【選択図】図１２
2008139063.tif 000002
【特許請求の範囲】
【請求項１】
スライドガラスを出し入れするための第１開口部と、前記第１開口部を介して複数の前記スライドガラスを並べて収納するための収納部とを備えた収納具であって、
前記収納部は、
前記複数のスライドガラスをそれぞれ載置するための複数の載置部と、
前記複数の載置部にそれぞれ載置された前記複数のスライドガラスの上面または下面を押圧して、前記複数のスライドガラスを前記複数の載置部にそれぞれ押し付ける複数の付勢部とを含む、収納具。
【請求項２】
各々の前記載置部は、前記収納部の互いに対向する２つの内側面に形成された一対の棚状部を含み、
前記スライドガラスは、前記一対の棚状部が前記スライドガラスの側端部近傍を支持することにより、前記載置部に載置されるように構成されている、請求項１に記載の収納具。
【請求項３】
前記スライドガラスは、実質的に矩形状に形成されるとともに、長辺部と短辺部とを有し、
前記棚状部は、前記スライドガラスの長辺部近傍を支持するように構成されている、請求項２に記載の収納具。
【請求項４】
前記棚状部は、前記スライドガラスの長辺部近傍の下面を支持し、
前記付勢部は、前記棚状部に支持されたスライドガラスの長辺部近傍の上面を前記棚状部に向かって押圧するように構成されている、請求項３に記載の収納具。
【請求項５】
前記付勢部は、前記載置部の上面または下面に向かって突出する押圧部を有する板バネを含む、請求項１〜４のいずれか１項に記載の収納具。
【請求項６】
前記板バネの押圧部の幅は、前記スライドガラスの厚みよりも大きい、請求項５に記載の収納具。
【請求項７】
複数の前記板バネが一体的に形成されている、請求項５または６に記載の収納具。
【請求項８】
前記複数の板バネは、板状の連結部により連結されることによって一体的に形成されており、
前記一対の棚状部が内側面に形成される一対の側壁部をさらに備え、
前記一対の側壁部は、それぞれ、前記内側面に形成される棚状部の一部を前記側壁部の外側面側に露出させるとともに前記一体的に形成された複数の板バネを前記外側面側から挿入可能な板バネ挿入用開口部と、前記側壁部の外側面側に設けられ、前記複数の板バネを連結する連結部を配置する連結部配置部とを含み、
前記連結部配置部との間で前記連結部を挟み込むように前記一対の側壁部の外側面に固定される固定部材をさらに備える、請求項７に記載の収納具。
【請求項９】
前記収納部に対して前記第１開口部の反対側に、前記収納部に繋がるように設けられるとともに、前記スライドガラスを挿入するための第２開口部をさらに備える、請求項１〜８のいずれか１項に記載の収納具。
【請求項１０】
前記載置部は、前記第２開口部側の端部に設けられ、前記載置部に載置された前記スライドガラスが前記第２開口部から脱落するのを抑制するための抜け止め部を有する、請求項９に記載の収納具。
【請求項１１】
前記抜け止め部は、前記載置部の前記付勢部と対向する面から突出するように設けられた凸部を含み、
前記凸部と、前記凸部が突出する方向側に隣接する載置部との間隔は、前記スライドガラスの厚みよりも大きい、請求項１０に記載の収納具。
【請求項１２】
前記スライドガラスは、塗抹標本用のスライドガラスである、請求項１〜１１のいずれか１項に記載の収納具。
【請求項１３】
箱状に形成された、スライドガラスを収納するための収納具であって、
互いに対向する一対の第１側壁部にそれぞれ開口部が設けられており、
互いに対向する一対の第２側壁部の内面から突出するように設けられ、複数の前記スライドガラスの長辺部近傍をそれぞれ支持するための複数の支持部と、
前記複数の支持部にそれぞれ支持された前記複数のスライドガラスの上面または下面を押圧し、前記複数のスライドガラスを前記複数の支持部にそれぞれ押し付ける複数の付勢部とを備える、収納具。
【発明の詳細な説明】
【技術分野】
【０００１】
この発明は、収納具に関し、特に、スライドガラスを出し入れするための開口と、スライドガラスを並べて収納するための収納部とを備えた収納具に関する。
【背景技術】
【０００２】
従来、スライドガラス上に作成された塗抹標本を撮像し、撮像画像に基づいて血球を分類する血液像分析装置が知られている。このような血液像分析装置では、複数のスライドガラスを収納することが可能なスライドガラス収納具が使用されている。このようなスライドガラス収納具の一例として、スライドガラス上に作成された塗抹標本を染色する際に使用されるスライドガラス収納具が知られている（たとえば、特許文献１参照）。
【０００３】
上記特許文献１に記載のスライドガラス収納具には、底面および側面の内側に複数の凹部が設けられている。この特許文献１では、複数のスライドガラスが、それぞれスライドガラス収納具の上部に設けられた開口を介して複数の凹部に収納されるように構成されている。
【０００４】
【特許文献１】特開平６−１９４２８４号公報
【発明の開示】
【発明が解決しようとする課題】
【０００５】
しかしながら、上記特許文献１では、スライドガラス収納具の開口が下向きになった場合には、スライドガラスがスライドガラス収納具から容易に脱落してしまうという問題点がある。
【０００６】
この発明は、上記のような課題を解決するためになされたものであり、この発明の１つの目的は、開口が下向きになった場合にも、スライドガラスが脱落するのを抑制することが可能な収納具を提供することである。
【課題を解決するための手段および発明の効果】
【０００７】
この発明の第１の局面による収納具は、スライドガラスを出し入れするための第１開口部と、第１開口部を介して複数のスライドガラスを並べて収納するための収納部とを備えた収納具であって、収納部は、複数のスライドガラスをそれぞれ載置するための複数の載置部と、複数の載置部にそれぞれ載置された複数のスライドガラスの上面または下面を押圧して、複数のスライドガラスを複数の載置部にそれぞれ押し付ける複数の付勢部とを含む。
【０００８】
この第１の局面による収納具では、上記のように、複数のスライドガラスを複数の載置部にそれぞれ押し付ける複数の付勢部を設けることによって、スライドガラスと載置部および付勢部との間に、スライドガラスを出し入れする方向にスライドガラスが移動するのを抑制する摩擦力を発生させることができる。この摩擦力により、第１開口部が下向きになった場合に、スライドガラスが自重により載置部から脱落するのを抑制することができる。また、第１開口部が下向きになった場合のみならず、収納具に衝撃が加わった場合などにも、衝撃の反動によってスライドガラスが載置部から脱落するのを抑制することができる。また、スライドガラスの上面または下面を押圧する付勢部を設けることによって、スライドガラスの側面を幅方向（横方向）に押圧する場合と異なり、短手方向の幅が異なるスライドガラスを収納する場合にも、板バネの撓み量が変化することがないので、板バネの押圧力が変化するのが抑制される。これにより、スライドガラスの短手方向の幅が異なるスライドガラスを収納する場合にも、スライドガラスを安定して支持することができる。
【０００９】
上記第１の局面による収納具において、好ましくは、各々の載置部は、収納部の互いに対向する２つの内側面に形成された一対の棚状部を含み、スライドガラスは、一対の棚状部がスライドガラスの側端部近傍を支持することにより、載置部に載置されるように構成されている。このように構成すれば、スライドガラスの中央近傍に標本が作成されている場合にも、標本が作成されていないスライドガラスの側端部近傍を棚状部により支持することによって、標本を傷つけることなく、載置部にスライドガラスを載置することができる。
【００１０】
この場合、好ましくは、スライドガラスは、実質的に矩形状に形成されるとともに、長辺部と短辺部とを有し、棚状部は、スライドガラスの長辺部近傍を支持するように構成されている。このように構成すれば、短辺部近傍を支持する場合と比較して、支持面積を大きくすることができるので、矩形状のスライドガラスを安定して支持することができる。
【００１１】
上記棚状部がスライドガラスの長辺部近傍を支持する構成において、好ましくは、棚状部は、スライドガラスの長辺部近傍の下面を支持し、付勢部は、棚状部に支持されたスライドガラスの長辺部近傍の上面を棚状部に向かって押圧するように構成されている。このように構成すれば、スライドガラスの長辺部近傍を棚状部および付勢部によって上下から挟み込んで支持することができる。これにより、スライドガラスの長辺部近傍に、スライドガラスが脱落するのを抑制するための摩擦力を発生させることができる。
【００１２】
上記第１の局面による収納具において、好ましくは、付勢部は、載置部の上面または下面に向かって突出する押圧部を有する板バネを含む。このように構成すれば、板バネの押圧部を撓ませながらスライドガラスを載置部に載置することにより、復元しようとする板バネの押圧部によりスライドガラスを載置部に押し付けることができる。
【００１３】
この場合、好ましくは、板バネの押圧部の幅は、スライドガラスの厚みよりも大きい。このように構成すれば、スライドガラスの上面または下面をスライドガラスの厚みよりも大きい幅を有する押圧部によって押圧することができる。これにより、スライドガラスの厚み部分を横側から押圧する場合と比較して、押圧面積を増加させることができるので、スライドガラスをより安定して支持することができる。
【００１４】
上記付勢部が板バネを含む構成において、好ましくは、複数の板バネが一体的に形成されている。このように構成すれば、各々の載置部に１つずつ板バネを組み付ける場合に比べて、収納具の組立を迅速に行なうことができるとともに、部品点数を少なくすることができる。
【００１５】
この場合、好ましくは、複数の板バネは、板状の連結部により連結されることによって一体的に形成されており、一対の棚状部が内側面に形成される一対の側壁部をさらに備え、一対の側壁部は、それぞれ、内側面に形成される棚状部の一部を側壁部の外側面側に露出させるとともに一体的に形成された複数の板バネを外側面側から挿入可能な板バネ挿入用開口部と、側壁部の外側面側に設けられ、複数の板バネを連結する連結部を配置する連結部配置部とを含み、連結部配置部との間で連結部を挟み込むように一対の側壁部の外側面に固定される固定部材をさらに備える。このように構成すれば、板バネ挿入用開口部を介して固定部材により複数の板バネを容易に取り付けることができる。
【００１６】
上記第１の局面による収納具において、好ましくは、収納部に対して第１開口部の反対側に、収納部に繋がるように設けられるとともに、スライドガラスを挿入するための第２開口部をさらに備える。このように構成すれば、第２開口部からスライドガラスを挿入して、スライドガラスを収納部に収納することができるとともに、スライドガラスの収納後には第１開口部を介してスライドガラスを出し入れすることができる。
【００１７】
この場合、好ましくは、載置部は、第２開口部側の端部に設けられ、載置部に載置されたスライドガラスが第２開口部から脱落するのを抑制するための抜け止め部を有する。このように構成すれば、抜け止め部によってスライドガラスが第２開口部から脱落するのを抑制することができる。
【００１８】
上記載置部が抜け止め部を有する構成において、好ましくは、抜け止め部は、載置部の付勢部と対向する面から突出するように設けられた凸部を含み、凸部と、凸部が突出する方向側に隣接する載置部との間隔は、スライドガラスの厚みよりも大きい。このように構成すれば、第２開口部からスライドガラスが脱落するのを抑制しながら、第２開口部に設けられた凸部と、凸部が突出する方向側に隣接する載置部との間からスライドガラスを容易に挿入することができる。
【００１９】
上記第１の局面による収納具において、スライドガラスは、塗抹標本用のスライドガラスである。このようにスライドガラスとして塗抹標本用のスライドガラスを用いる場合に、第１の局面による収納具を用いることにより、容易に、塗抹標本用のスライドガラスが収納具から脱落するのを抑制することができる。
【００２０】
この発明の第２の局面による収納具は、箱状に形成された、スライドガラスを収納するための収納具であって、互いに対向する一対の第１側壁部にそれぞれ開口部が設けられており、互いに対向する一対の第２側壁部の内面から突出するように設けられ、複数のスライドガラスの長辺部近傍をそれぞれ支持するための複数の支持部と、複数の支持部にそれぞれ支持された複数のスライドガラスの上面または下面を押圧し、複数のスライドガラスを複数の支持部にそれぞれ押し付ける複数の付勢部とを備える。
【００２１】
この第２の局面による収納具では、上記のように、複数のスライドガラスを複数の支持部にそれぞれ押し付ける複数の付勢部を設けることによって、スライドガラスと支持部および付勢部との間に、スライドガラスを出し入れする方向にスライドガラスが移動するのを抑制する摩擦力を発生させることができる。この摩擦力により、開口部が下向きになった場合に、スライドガラスが自重により支持部から脱落するのを抑制することができる。また、開口部が下向きになった場合のみならず、収納具に衝撃が加わった場合などにも、衝撃の反動によってスライドガラスが支持部から脱落するのを抑制することができる。また、スライドガラスの上面または下面を押圧する付勢部を設けることによって、スライドガラスの厚み部分（側面）を押圧する場合と異なり、短手方向の幅が異なるスライドガラスを収納する場合にも、板バネの撓み量が変化することがないので、板バネの押圧力が変化するのが抑制される。これにより、スライドガラスの短手方向の幅が異なるスライドガラスを収納する場合にも、スライドガラスを安定して支持することができる。
【発明を実施するための最良の形態】
【００２２】
以下、本発明を具体化した実施形態を図面に基づいて説明する。
【００２３】
図１は、本発明の一実施形態によるスライドガラス収納具としてのマガジンが使用される標本画像撮像装置を含む標本画像撮像システムの全体構成を示した斜視図である。図２〜図８は、図１に示した一実施形態によるマガジンが使用される標本画像撮像装置の詳細構造を説明するための図である。まず、図１〜図８を参照して、本発明の一実施形態によるマガジン２００が使用される標本画像撮像システムの構成について説明する。
【００２４】
本発明の一実施形態によるスライドガラス収納具としてのマガジン２００が使用される標本画像撮像システムは、図１に示すように、血液塗抹標本作製装置１と、ラック搬送装置２と、カセット搬送装置３と、標本画像撮像装置４と、パーソナルコンピュータ５とを備えている。なお、標本画像撮像システムは、血液塗抹標本作製装置１で作製された血液標本（スライドガラス）をカセット搬送装置３により標本画像撮像装置４に搬送し、搬送された血液標本（スライドガラス）の画像を標本画像撮像装置４において撮像するとともに、撮像画像をパーソナルコンピュータ５によりデジタル画像処理して自動的に血球の分類を行う装置である。
【００２５】
また、血液塗抹標本作製装置１は、標本画像撮像装置４により分析することが可能な自動分析用の標本をスライドガラス１００上に作製する装置である。なお、血液塗抹標本作製装置１は、標本が作製されたスライドガラス１００を１時間あたり１２０枚作製する処理能力を有している。また、図４に示すように、血液塗抹標本作製装置１において作成されたスライドガラス１００のフロスト部（情報表示領域）１００ａには、血液塗抹標本作製装置１に内蔵される熱転写プリンタ（図示せず）によって、検体番号、日付、受付番号および氏名などの標本情報が蓄積された２次元バーコード１００ｂと、標本情報に含まれる属性情報としての日付１００ｃ（図４では、０７／０６／０４）、患者氏名１００ｄ（図４では、○○××）および検体番号１００ｅ（図４では、ＢＡ１５６１７）が印字される。
【００２６】
ラック搬送装置２は、図１に示すように、血液が収容された試験管１５１を収納する検体ラック１５０を血液塗抹標本作製装置１に自動的に搬送するために設けられている。また、血液塗抹標本作製装置１は、タッチパネルからなる表示操作部１ａと、起動スイッチ１ｂと、電源スイッチ１ｃと、カバー１ｄとを含んでいる。また、血液塗抹標本作製装置１には、血液が収容された試験管１５１をラック搬送装置２側から血液塗抹標本作製装置１側に搬送するためのハンド部材１ｅが設けられている。血液が収容された試験管１５１には、ゴム栓１５１ａが装着されている。
【００２７】
カセット搬送装置３は、図１に示すように、血液塗抹標本作製装置１から受け取ったカセット１１０（図５参照）に収容されているスライドガラス１００を標本画像撮像装置４に搬送するために設けられている。また、カセット搬送装置３は、図１に示すように、表示部３ａと、電源スイッチ３ｂと、カバー３ｃとを含んでいる。図５に示すように、このカセット搬送装置３は、受け渡し口３ｄを介して、標本画像撮像装置４に撮像対象のスライドガラス１００を受け渡すように構成されている。
【００２８】
標本画像撮像装置４は、カセット搬送装置３から受け取ったスライドガラス１００の標本作製領域１００ｆ（図４参照）に形成された標本を撮像する機能を有している。なお、標本画像撮像装置４は、スライドガラス１００の標本を１時間あたり９０枚撮像する処理能力を有している。また、標本画像撮像装置４は、図１に示すように、電源スイッチ４ａと、開閉可能なカバー部４ｂと、筐体の側面に開閉可能に設けられる蓋部４ｃとを含んでいる。また、標本画像撮像装置４には、パーソナルコンピュータ５が接続されている。
【００２９】
また、標本画像撮像装置４は、図２および図３に示すように、スライド取出部１０と、バーコード読取部２０と、撮像部３０と、マガジン搬送機構部４０と、制御部５０とを備えている。
【００３０】
スライド取出部１０は、図５および図６に示すように、カセット搬送装置３において水平に配置されたカセット１１０からカセット搬送装置３の受け渡し口３ｄを介してスライドガラス１００を取り出すとともに、取り出したスライドガラス１００をバーコード読取部２０に搬送する機能を有する。さらに、スライド取出部１０は、スライドガラス１００をＸ１方向に搬送する機能も有している。スライド取出部１０は、モータ１１と、モータ１１に接続されるプーリ１２と、プーリ１２と所定の間隔を隔てて設けられるプーリ１３と、プーリ１２およびプーリ１３に装着される駆動伝達ベルト１４と、駆動伝達ベルト１４に伴って移動する移動機構部１５と、移動機構部１５をＸ方向に移動させる直動ガイド（スライドレール）１６と、２つの遮光センサ１７とから構成されている。これにより、モータ１１が駆動することによって、プーリ１２を介して、駆動伝達ベルト１４が駆動するので、駆動伝達ベルト１４に連結される移動機構部１５がＸ方向に移動される。
【００３１】
また、移動機構部１５は、駆動伝達ベルト１４に連結される連結部材１５ａと、連結部材１５ａに取り付けられるソレノイド支持部材１５ｂと、ソレノイド支持部材１５ｂに支持されるソレノイド１５ｃと、連結部材１５ａに取り付けられるとともに上記した直動ガイド（スライドレール）１６に沿って移動可能な移動部材１５ｄと、移動部材１５ｄに回転可能に取り付けられる支持シャフト１５ｅと、ソレノイド１５ｃのロッド１５ｆとともに上下方向（Ｚ方向）に移動する下側チャック部１５ｇと、支持シャフト１５ｅに取り付けられるとともに下側チャック部１５ｇに連動して矢印Ｃ方向に回動する上側チャック部１５ｈと、支持シャフト１５ｅに取り付けられる押圧部１５ｉ（図５参照）および１５ｊ（図５参照）とによって構成されている。したがって、ソレノイド１５ｃのロッド１５ｆがＺ方向に延びることにより、下側チャック部１５ｇがＺ方向に移動して、搬送路４ｄのスライドガラス１００の下面が支持される。この際、下側チャック部１５ｇのＺ方向（上方向）の移動に連動して上側チャック部１５ｈが支持シャフト１５ｅとともに矢印Ｃ方向に回動して、搬送路４ｄのスライドガラス１００の下面が支持される。このようにして、下側チャック部１５ｇおよび上側チャック部１５ｈにより、搬送路４ｄのスライドガラス１００が把持される。また、押圧部１５ｉおよび１５ｊも支持シャフト１５ｅに取り付けられているので、上側チャック部１５ｈの矢印Ｃ方向への回動に連動して、押圧部１５ｉ（図５参照）および１５ｊ（図５参照）も矢印Ｃ方向へ回動する。また、図５に示すように、移動部材１５ｄには、２つの遮光センサ１７を遮光する検出片１５ｋが設けられており、２つの遮光センサ１７により、移動機構部１５の位置が検出される。
【００３２】
また、上側チャック部１５ｈおよび下側チャック部１５ｇは、搬送路４ｄの導入位置４ｅに配置されたスライドガラス１００を把持するとともに、バーコード読取部２０による読取位置４ｆまでスライドガラス１００をＸ１方向に搬送する機能を有している。また、押圧部１５ｉは、上側チャック部１５ｈおよび下側チャック部１５ｇにより搬送された搬送路４ｄにおけるスライドガラス１００を、撮像部３０のスライドチャック３１が把持可能な引き込み位置４ｇまで搬送する機能を有している。また、押圧部１５ｊは、搬送路４ｄの引き込み位置４ｇに配置されるスライドガラス１００を、搬送路４ｄのマガジン導入位置４ｈまで搬送する機能を有している。
【００３３】
また、バーコード読取部２０は、２次元バーコードリーダからなり、スライドガラス１００のフロスト部１００ａに印字された２次元バーコード１００ｂ（図４参照）を読み取る機能を有する。そして、２次元バーコード１００ｂが読み取られたスライドガラス１００は、押圧部１５ｉによってスライドガラス１００の下端部を押圧されて撮像部３０のスライドチャック３１が把持可能な引き込み位置４ｇまで搬送される。
【００３４】
撮像部３０は、図７に示すように、スライドガラス１００の標本作製領域１００ｆ（図４参照）に形成された標本画像（図示せず）を撮像するために設けられている。この撮像部３０は、スライドチャック３１と、対物レンズ３２と、複数のレンズ３３と、ハーフミラー３４と、ＣＣＤカメラ３５と、ラインセンサ３６〜３８とを含んでいる。また、スライドチャック３１は、前方に移動して搬送路４ｄの引き込み位置４ｇに搬送されたスライドガラス１００を把持した後、後方に移動して対物レンズ３２の下方の位置に配置する機能を有している。これにより、対物レンズ３２の下方の位置に配置されたスライドガラス１００の標本作製領域１００ｆの標本が複数のレンズ３３を介してＣＣＤカメラ３５により撮像される。なお、ラインセンサ３６は、特異的に青色に染色される白血球を検出する機能を有している。また、ラインセンサ３７および３８は、ＣＣＤカメラ３５のフォーカス調整用に用いられる。
【００３５】
マガジン搬送機構部４０は、図８に示すように、マガジン貯留部４１およびマガジン貯留部４２と、マガジン移送部４３と、マガジン送り込み部４４とにより構成されている。そして、マガジン搬送機構部４０は、筐体の側面に開閉可能に設けられる蓋部４ｃ（図１参照）を開けることにより補充される空のマガジン２００をマガジン貯留部４１からマガジン貯留部４２に搬送する機能を有している。
【００３６】
また、本実施形態では、図８に示すように、マガジン貯留部４１は、複数の空のマガジン２００を貯留するために設けられている。このマガジン貯留部４１は、マガジン２００をＹ１方向に搬送するための一対の搬送ベルト４１ａを含んでいる。また、マガジン貯留部４１は、マガジンの搬送方向（Ｙ１方向）に延びるように設けられた凸状の係合部４１ｂおよび４１ｃを有する。この凸状の係合部４１ｂと４１ｃとは、それぞれ、後述するマガジン２００の凹状の係合部２２２および２３６と、切欠状の係合部２２３および２３７とに係合するように構成されている。また、マガジン貯留部４２は、スライドガラス１００が収容された複数のマガジン２００を貯留するために設けられている。なお、マガジン貯留部４１および４２は、それぞれ、マガジン２００を最大８個収容可能である。
【００３７】
また、マガジン移送部４３は、空のマガジン２００を下方のマガジン貯留部４１から上方のマガジン貯留部４２まで搬送するように構成されている。このマガジン移送部４３は、モータ４３ａと、モータ４３ａの軸に接続されるプーリ４３ｂと、プーリ４３ｂと所定の間隔を隔てた上方に配置されるプーリ４３ｃと、プーリ４３ｂおよびプーリ４３ｂに装着される駆動伝達ベルト４３ｄと、駆動伝達ベルト４３ｄに連結される搬送部材４３ｅとを含んでいる。これにより、モータ４３ａが駆動することにより、プーリ４３ｂを介して、駆動伝達ベルト４３ｄが駆動されるので、駆動伝達ベルト４３ｄに連結される搬送部材４３ｅがＺ方向に移動される。そして、マガジン２００を載置可能な搬送部材４３ｅをＺ方向に移動させることが可能となる。
【００３８】
また、マガジン送り込み部４４は、マガジン移送部４３によって上方に移送されたスライドガラス１００を収容したマガジン２００をマガジン貯留部４２側に送り出す機能を有している。このマガジン送り込み部４４は、押出し部材４４ａと、移動可能なスライドレール４４ｂと、スライドレール４４ｂを移動可能に支持するスライドレール支持部材４４ｃと、アーム４４ｄと、モータ４４ｅとによって構成されている。押出し部材４４ａは、スライドレール４４ｂに取り付けられているとともに、スライドレール４４ｂは、Ｙ方向に沿って延びるように配置されている。また、アーム４４ｄの一方の端部は、長穴を介してスライドレール４４ｂに取り付けられているとともに、他方の端部は、モータ４４ｅの回転軸に連結されている。これにより、モータ４４ｅが駆動することにより、アーム４４ｄの一方の端部が回動されることによって、スライドレール４４ｂがスライドレール支持部材４４ｃに対してＹ２方向に移動される。これにより、押出し部材４４ａがＹ２方向に沿って移動される。したがって、マガジン移送部４３によって上方に移送されたマガジン２００は、押出し部材４４ａに押圧されてマガジン貯留部４２側に押し出される。
【００３９】
また、制御部５０は、スライド取出部１０、バーコード読取部２０、撮像部３０およびマガジン搬送機構部４０の動作を制御する機能を有する。また、制御部５０は、撮像部３０において撮像された標本画像のデジタルデータを取得するとともに、そのデータをパーソナルコンピュータ５の制御部５ａに送信する機能を有する。
【００４０】
パーソナルコンピュータ（ＰＣ）５は、図１および図３に示すように、標本画像撮像装置４の撮像部３０において撮像されたスライドガラス１００の標本の撮像画像をデジタル画像処理するとともに、血球の分類を自動で行う機能を有しており、制御部５ａと、表示部５ｂと、入力部５ｃとを有している。また、制御部５ａは、標本画像撮像装置４の制御部５０に標本画像撮像装置４の各機構（スライド取出部１０など）の処理を行わせるように指示を行なう機能を有する。また、制御部５ａは、制御部５０が撮像部３０から取得した撮像画像のデジタルデータを制御部５０から受信するとともに、受信したデータに基づいて、撮像部３０で取得された標本画像（図示せず）を分析するための機能を有している。また、制御部５ａには、バーコード読取部２０により取得された識別情報（２次元バーコード１００ｂ）と撮像部３０で撮像された標本画像とを関連付けて記憶するメモリ５ｄ（図３参照）が設けられている。そして、メモリ５ｄは、バーコード読取部２０により取得された識別情報（２次元バーコード１００ｂ）とマガジン２００に収納された標本（スライドガラス１００）の位置とを関連付けて記憶する機能を有している。
【００４１】
図９〜図１８は、本実施形態によるスライドガラス収納具としてのマガジンおよびマガジンに収納されるスライドガラスの構造を説明するための図である。次に、図４および図９〜図１８を参照して、本実施形態によるマガジンおよびマガジンに収納されるスライドガラスの構造を詳細に説明する。
【００４２】
スライドガラス１００は、図４および図９に示すように、長方形状に形成されている。また、日本製のスライドガラス１０１（図１０参照）は、約１ｍｍの厚み（図１０のｔ１）と、約７６ｍｍの長さと、約２６ｍｍの幅（図１０のＷ１）とを有する。また、海外製のスライドガラス１０２（図１０参照）は、約１ｍｍの厚みと、約７５ｍｍの長さと、約２５ｍｍの幅（図１０のＷ２）とを有する。すなわち、日本製のスライドガラス１０１と、海外製のスライドガラス１０２とで短手方向の幅が異なる。また、本実施形態では、スライドガラス１００は、長辺部近傍（図４および図９に示す斜線部分）の下面が支持されることによりマガジン２００に収納される。
【００４３】
また、本実施形態によるマガジン２００は、ＰＰＳ(ポリフェニレンサルファイド)樹脂により成形されており、図１０および図１２に示すように、処理済み（撮像済み）のスライドガラス１００を１枚収納可能な収納部２００ａを２５個有する。また、図９に示すように、スライドガラス１００は、フロスト部１００ａがマガジン２００から突出するように収納される。これにより、スライドガラス１００がマガジン２００に収納された状態で、ユーザがスライドガラス１００の情報（日付１００ｃ、患者氏名１００ｄなど）を視認することが可能である。
【００４４】
このマガジン２００は、図１４に示すように、上壁部２１０と、下壁部２２０と、一対の側壁部２３０と、一対の側壁部２３０に固定される固定板２４０と、板バネ部２５０とを含んでいる。また、図９に示すように、マガジン２００は、上壁部２１０、下壁部２２０および一対の側壁部２３０が複数のねじ２６０および２７０によって箱状に組み立てられており、２つの開口２００ｂおよび２００ｃを有する。ユーザは、開口２００ｂを介して、マガジン２００の収納部２００ａに対して矢印Ａ方向および矢印Ｂ方向にスライドガラス１００を出し入れ可能である。また、標本画像撮像装置４は、開口２００ｃを介して、マガジン２００の収納部２００ａに対して処理済みのスライドガラス１００（撮像済みのスライドガラス１００）を矢印Ｃ方向に挿入可能である。
【００４５】
以下にマガジン２００の具体的な構造を説明する。
【００４６】
上壁部２１０には、一対の側壁部２３０を固定するための４つのねじ２６０が挿入されるねじ穴２１１（図１４参照）が２つずつ両側面に設けられている。また、図９および図１２に示すように、上壁部２１０には、凹状のシート挿入部２１２が設けられており、このシート挿入部２１２にマガジン２００の識別番号が記載されたシート２１３が嵌入されるように構成されている。ユーザは、このシート２１３に記載された識別番号によって個々のマガジン２００を判別する。
【００４７】
また、下壁部２２０には、一対の側壁部２３０を固定するための４つのねじ２７０が挿入されるねじ穴２２１（図１４参照）が２つずつ両側面に設けられている。また、図１２に示すように、下壁部２２０には、マガジン２００をマガジン貯留部４１にセットした時にマガジン貯留部４１の凸状の係合部４１ｂおよび４１ｃとそれぞれ係合する凹状の係合部２２２および切欠状の係合部２２３が設けられている。また、下壁部２２０には、上記上壁部２１０と同様に、凹状のシート挿入部２２４が設けられており、このシート挿入部２２４にマガジン２００の識別番号が記載されたシート２２５が嵌入されるように構成されている。
【００４８】
また、一対の側壁部２３０は、互いに対向する内側面から突出するとともに、上下に所定の間隔を隔てて設けられた２５個の一対の棚状部２３１と、外側面に設けられ、固定板２４０に対応した形状を有する凹部２３２（図１４参照）と、個々のマガジン２００を識別するための識別番号を表す識別部２３３とを含んでいる。また、一対の側壁部２３０には、上壁部２１０に固定するためのねじ２６０が挿入されるねじ穴２３４（図１４参照）と、下壁部２２０に固定するためのねじ２７０が挿入されるねじ穴２３５（図１４参照）とが２つずつ設けられている。また、図９に示すように、側壁部２３０の下端には、下壁部２２０の凹状の係合部２２２および切欠状の係合部２２３にそれぞれ対応するように形成された凹状の係合部２３６および切欠状の係合部２３７が設けられている。また、側壁部２３０の凹部２３２の上端および下端には、固定板２４０を固定するためのねじ２８０が挿入されるねじ孔２３８（図１４参照）が設けられている。
【００４９】
図１２および図１３に示すように、一対の棚状部２３１は、開口２００ｂから開口２００ｃまで延びるように形成されており、上面２３１ａにより、スライドガラス１００の長辺部近傍（図９に示す斜線部分）を支持するように設けられている。この棚状部２３１の下面２３１ｂには、板バネ部２５０の板バネ２５１が配置される凹部２３１ｃが設けられている。この凹部２３１ｃは、図１２に示すように、棚状部２３１の中間よりも開口２００ｂ側に設けられている。また、図１３に示すように、棚状部２３１は、厚みｔ２（約１ｍｍ）を有する。また、棚状部２３１の凹部２３１ｃが形成される部分の厚みｔ３は、約０．５ｍｍである。また、棚状部２３１の下面２３１ｂと、隣接する棚状部２３１の上面２３１ａとの間隔Ｄ１は、約１．７５ｍｍである。棚状部２３１の開口２００ｂ側の端部および開口２００ｃ側の端部には、それぞれ、面取り部２３１ｄおよび面取り部２３１ｅが設けられている。これにより、スライドガラス１００を開口２００ｃを介して収納部２００ａに挿入する際に、スライドガラス１００の先端が棚状部２３１の開口２００ｃ側の端部に引っ掛かることが防止され、スライドガラス１００の収納を容易に行うことができる。また、棚状部２３１の上面２３１ａの開口２００ｃ側の端部には、スライドガラス１００の抜け止めとして機能する凸部２３１ｆが設けられている。また、棚状部２３１の下面２３１ｂと凸部２３１ｆとの間隔Ｄ２は、約１．２５ｍｍであり、凸部２３１ｆの突出長さＬは、約０．５ｍｍである。なお、凸部２３１ｆの突出長さＬは、適宜設定することができるが、スライドガラス１００の脱落を確実に防止する観点から、０．２ｍｍ以上が好ましく、また、マガジン２００をコンパクトに構成する観点から、スライドガラス１００の厚みである約１ｍｍ以下とすることが好ましい。また、間隔Ｄ２は、スライドガラス１００の厚みよりも大きければ適宜設定することが可能であるが、スライドガラス１００の挿入を円滑に行うためには、１．１ｍｍ以上であることが好ましく、マガジン２００をコンパクトに構成する観点からは、２ｍｍ以下であることが好ましい。
【００５０】
また、図１４に示すように、側壁部２３０の外側面側に設けられた凹部２３２は、板バネ部２５０を取り付けるために設けられている。この凹部２３２は、板バネ部２５０の板バネ２５１を棚状部２３１の凹部２３１ｃに嵌め込むための板バネ挿入用開口部２３２ａと、板バネ挿入用開口部２３２ａと隣接して設けられ、板バネ部２５０の連結部２５３が配置される連結部配置部２３２ｂとを有する。連結部配置部２３２ｂには、後述する板バネ部２５０の根元部２５２を挿入するためのスリット２３２ｃが２５個設けられている。本実施形態によるマガジン２００では、板バネ部２５０の根元部２５２をスリット２３２ｃに挿入することにより、板バネ２５１が棚状部２３１の凹部２３１ｃに配置されるとともに、板バネ部２５０の連結部２５３が連結部配置部２３２ｂに配置されるように構成されている。
【００５１】
固定板２４０は、側壁部２３０に板バネ部２５０を取り付けた状態で、側壁部２３０の凹部２３２に固定されることによって、板バネ部２５０の連結部２５３を固定するために設けられている。この固定板２４０には、２つのねじ挿入孔２４１（図１４参照）が設けられている。側壁部２３０と固定板２４０とは、側壁部２３０のねじ孔２３８と固定板２４０のねじ挿入孔２４１とを介してねじ２８０により固定される。
【００５２】
また、板バネ部２５０は、図１５〜図１８に示すように、５つの板バネ２５１と、５つの板バネ２５１を板状の根元部２５２を介して連結するとともに側壁部２３０に取り付けるための板状の連結部２５３とからなる。５つの板バネ２５１は、それぞれ下方に突出する押圧部２５１ａを有する。板バネ２５１の幅（押圧部２５１ａの幅）Ｗ３（図１６および図１８参照）は、約３．５ｍｍであり、スライドガラス１００の厚みｔ１（約１ｍｍ）よりも大きく形成されている。また、板バネ２５１の厚み（押圧部２５１ａの厚み）ｔ４（図１７参照）は、約０．５ｍｍである。また、スライドガラス１００が挿入されるマガジン２００の開口２００ｃの幅は、約２７ｍｍであり、海外製のスライドガラス１０２（幅約２５ｍｍ）が収納部２００ａの一方の内側面に接しているとき、他方の内側面とスライドガラス１０２の側端面との距離は約２ｍｍとなる。この場合、板バネ２５１の幅Ｗ３は約３．５ｍｍであるので、一方の内側面と接するスライドガラス１０２の他方の内側面側の側端面を、他方の内側面側に設けられた板バネ２５１により、幅約１．５ｍｍ分抑えることが可能である。
【００５３】
また、根元部２５２の幅Ｗ４（図１６および図１８参照）は、連結部配置部２３２ｂ（図１４参照）の厚みよりも大きくなるように形成されている。これにより、図１１に示すように、板バネ部２５０が側壁部２３０に取り付けられた状態で、板バネ２５１の側壁部２３０側の側面２５１ｂが、図１１の側壁部２３０の内側面２３０ａと同一平面内に位置する連結部配置部２３２ｂの内側側面２３２ｄおよび固定板２４０の内側側面２４０ａ（図１３参照）から離間するように構成されている。したがって、板バネ２５１が連結部配置部２３２ｂの内側側面２３２ｄおよび固定板２４０の内側側面２４０ａに接触することによって板バネ２５１のスライドガラス１００に対する押圧力が減少するのを抑制することが可能である。また、板バネ部２５０が側壁部２３０に取り付けられた状態で、板バネ２５１の根元部２５２と反対側の開放端は、棚状部２３１の凹部２３１ｃ内に位置しており、棚状部２３１の下面２３１ｂから突出しないように構成されている。これにより、スライドガラス１００を開口２００ｂ側から挿入する際に、板バネ２５１の開放端がスライドガラス１００に引っ掛かるのが抑制される。
【００５４】
また、板バネ部２５０が側壁部２３０に取り付けられた状態で、板バネ２５１の押圧部２５１ａは、棚状部２３１の上面２３１ａに向かって突出している。また、押圧部２５１ａの先端と棚状部２３１の上面２３１ａとの間の間隔Ｄ３（図１１および図１３参照）は、スライドガラス１００の厚みｔ１（図１０参照）よりも小さくなるように構成されている。これにより、棚状部２３１に挿入されたスライドガラス１００は、板バネ２５１の撓み変形された押圧部２５１ａによって棚状部２３１の上面２３１ａに押し付けられる。また、スライドガラス１００が押し付けられる棚上部２３１の上面２３１ａの開口２００ｃ側の端部には、上記したスライドガラス１００の抜け止めとして機能する凸部２３１ｆが設けられているため、スライドガラス１００が開口２００ｃ側に移動する際に、凸部２３１ｆに引っ掛かるように構成されている。
【００５５】
識別部２３３は、一方の側壁部２３０の外側面の開口２００ｂ側に上下方向に所定の間隔を隔てて設けられた６つの桁識別部２３３ａから構成されている。桁識別部２３３ａは、孔または壁となるように形成され、標本画像撮像装置４に設けられた透過型のセンサ（図示せず）によって、桁識別部２３３ａが孔であるか壁であるかが識別される。桁識別部２３３ａが孔であるときは、標本画像撮像装置４は、たとえば「０」であると認識し、桁識別部２３３ａが壁であるときは、標本画像撮像装置４は「１」であると認識する。すなわち、６つの桁識別部２３３ａによって表される６桁の２進数により、マガジン２００の識別番号が表されており、標本画像撮像装置４は、６つの桁識別部２３３ａが、それぞれ、孔であるか壁であるかを識別することによってマガジン２００の識別番号を判別することが可能である。なお、ユーザは、上記したシート２１３および２２５によって、マガジン２００の識別番号を目視により識別可能である。
【００５６】
次に、図１、図２および図４〜図８を参照して、本実施形態による標本画像撮像システムの動作について説明する。
【００５７】
まず、ユーザは、図１に示すように、起動スイッチ１０２が押されて血液塗抹標本作製装置１００が起動した状態で、血液検体が収容された試験管１５１が収納された検体ラック１５０をラック搬送装置２にセットする。そして、ユーザは、表示操作部１ａに表示された自動吸引のスタートスイッチを押す。これにより、検体ラック１５０が血液塗抹標本作製装置１のハンド部材１ｅが把持可能な位置まで搬送されるとともに、ハンド部材１ｅにより検体ラック１５０の血液が収容された試験管１５１が血液塗抹標本作製装置１内に搬送される。そして、血液塗抹標本作製装置１内において、試験管１５１から採取した血液の塗抹標本（スライドガラス１００）が作製される。
【００５８】
また、血液塗抹標本作製装置１内において作製された塗抹標本（スライドガラス１００）には、図４に示すように、スライドガラス１００のフロスト部１００ａに、検体番号、日付、受付番号、氏名などの標本情報が蓄積された２次元バーコード１００ｂと、日付１００ｃや患者氏名１００ｄなどが印字される。また、この後、スライドガラス１００は、カセット１１０に収納されて、カセット搬送部３に移動される。
【００５９】
また、スライドガラス１００を収納したカセット１１０は、カセット搬送部３によって、所定の位置まで搬送されるとともに、受け渡し口３ｄ（図１および図５参照）からスライドガラス１００が突出するように配置される。その後、図５に示すように、標本画像撮像装置４のスライド取出部１０の上側チャック部１５ｈおよび下側チャック部１５ｇが把持可能な導入位置４ｅまで送り出される。
【００６０】
次に、図５に示すように、スライド取出部１０において、カセット１１０からスライドガラス１００が取り出されるとともに、そのスライドガラス１００がバーコード読取部２０による読取位置４ｆに搬送される。具体的には、図６に示すように、ソレノイド１５ｃのロッド１５ｆがＺ方向に延びることにより、下側チャック部１５ｇがＺ方向に移動して、搬送路４ｄのスライドガラス１００の下面が支持される。この際、下側チャック部１５ｇのＺ方向（上方向）の移動に連動して上側チャック部１５ｈが支持シャフト１５ｅとともに矢印Ｃ方向に回動して、搬送路４ｄのスライドガラス１００の下面が支持される。これにより、下側チャック部１５ｇおよび上側チャック部１５ｈにより、搬送路４ｄのスライドガラス１００が把持される。そして、スライドガラス１００が把持された状態で、モータ１１を駆動することにより、プーリ１２および駆動伝達ベルト１４が駆動するので、図５に示すように、駆動伝達ベルト１４に連結される移動機構部１５がＸ１方向に移動される。これにより、上側チャック部１５ｈおよび下側チャック部１５ｇにより把持されたスライドガラス１００が読取位置４ｆまで搬送される。
【００６１】
そして、図５に示すように、バーコード読取部２０による読取位置４ｆまで搬送されたスライドガラス１００は、バーコード読取部２０において、スライドガラス１００のフロスト部１００ａに印字された２次元バーコード１００ｂが読み取られる。そして、バーコード読取部２０によって読み取られた染色済みのスライドガラス１００の検体番号が制御部５０を介してパーソナルコンピュータ５の制御部５ａに送られる。その後、バーコード読取部２０によって読み取られたスライドガラス１００は、スライド取出部１０の押圧部１５ｉに押圧されて、搬送路４ｄに沿ってＸ１方向に移動することによりスライドチャック３１が把持可能な引き込み位置４ｇまで搬送される。
【００６２】
次に、図５に示すように、引き込み位置４ｇに配置されたスライドガラス１００は、前方に移動されたスライドチャック３１により把持された後、スライドチャック３１が後方に移動して撮像部３０の内部に引き込まれる。これにより、図７に示すように、対物レンズ３２の下方の位置に配置される。そして、撮像部３０のＣＣＤカメラ３５により、スライドチャック３１に把持されるスライドガラス１００の標本を、複数のレンズ３３およびハーフミラー３４を介して撮像する。このようにして、スライドガラス１００の標本画像（図示せず）が複数取得される。その後、撮像部３０のＣＣＤカメラ３５によって撮像された標本画像が制御部５０を介してパーソナルコンピュータ５の制御部５ａに送られる。その結果、バーコード読取部２０において読み取られた２次元バーコード１００ｂと、撮像部３０のＣＣＤカメラ３５により撮像された標本画像とが関連付けられて、制御部５ａのメモリ５ｄ（図３参照）に格納される。
【００６３】
また、パーソナルコンピュータ５の制御部５ａに送られた標本画像（図１５参照）は、制御部５ａにおいて、画像処理されるとともに、血球の分類が自動的に行われる。
【００６４】
そして、撮像済みのスライドガラス１００は、スライドチャック３１により前方の引き込み位置４ｇに戻された後、図５に示すように、スライド取出部１０の押圧部１５ｊに押圧されて、搬送路４ｄに沿ってマガジン導入位置４ｈまで搬送される。また、図２に示すように、マガジン搬送機構部４０のマガジン貯留部４１から空のマガジン２００が上方に搬送されて、マガジン２００の１段目の収容部２００ａが搬送路４ｄと同じ高さに配置されている。この状態でスライドガラス１００がスライド取出部１０の押圧部１５ｊにさらに押圧されることにより、開口２００ｃを介してマガジン２００の１段目の収容部２００ａにスライドガラス１００が収容される。また、一段目の収容部２００ａにスライドガラス１００が収納された後、マガジン２００は、２段目の収納部２００ａが搬送路４ｄと同じ高さになるように移動される。そして、撮像されたスライドガラス１００がマガジン２００の２段目の収納部２００ａ、３段目の収納部２００ａへと順次収容される。なお、パーソナルコンピュータ５の制御部５ａは、マガジン移送部４３のモータ４３ａのステップ数を制御している。したがって、スライドガラス１００の２次元バーコード１００ｂと、マガジン２００の収納部２００ａの位置とが関連付けられて、制御部５ａのメモリ５ｄに格納される。上記のようにして標本画像撮像システムの分析動作および処理済みのスライドガラス１００の本実施形態によるマガジン２００への収納が行われる。
【００６５】
本実施形態では、上記のように、収納部２００ａに収容されたスライドガラス１００を板バネ２５１によって棚状部２３１に押し付けることにより、スライドガラス１００と棚状部２３１および板バネ２５１との間に、スライドガラス１００を出し入れする方向にスライドガラス１００が移動するのを抑制する摩擦力を発生させることができる。この摩擦力により、開口２００ｂまたは開口２００ｃが下向きになった場合に、スライドガラス１００が自重により収納部２００ａから脱落するのを抑制することができる。また、開口２００ｂまたは２００ｃが下向きになった場合のみならず、マガジン２００に衝撃が加わった場合などにも、衝撃の反動によってスライドガラス１００が収納部２００ａから脱落するのを抑制することができる。また、スライドガラス１００の上面を板バネ２５１によって押し付けることによって、スライドガラス１００の側面を幅方向（横方向）に押圧する場合と異なり、幅が異なるスライドガラス１００を収納する際に板バネ２５１の撓み量が変化することによって板バネ２５１の押圧力が変化するのを抑制することができる。これにより、幅が異なる日本製のスライドガラス１０１および海外製のスライドガラス１０２の両方を収納する場合にも、スライドガラス１０１および１０２を安定して支持することができる。
【００６６】
また、本実施形態では、上記のように、スライドガラス１００の長辺部近傍を、一対の棚状部２３１により支持することによって、スライドガラス１００の標本作成領域１００ｆに作成された標本を傷つけることなく、スライドガラスを収納することができる。
【００６７】
また、本実施形態では、上記のように、棚状部２３１によりスライドガラス１００の長辺部近傍の下面を支持するとともに、板バネ２５１により、棚状部２３１に支持されたスライドガラス１００の長辺部近傍の上面を棚状部２３１に向かって押圧することによって、スライドガラス１００の長辺部近傍を棚状部２３１および板バネ２５１によって上下から挟み込んで支持することができる。これにより、スライドガラス１００の長辺部近傍に、スライドガラス１００が脱落するのを抑制するための摩擦力を発生させることができる。
【００６８】
また、本実施形態では、上記のように、板バネ２５１の押圧部２５１ａの幅Ｗ３を、スライドガラス１００の厚みｔ１よりも大きく形成することによって、スライドガラス１００の上面または下面をスライドガラス１００の厚みｔ１よりも大きい幅を有する押圧部２５１ａによって押圧することができる。これにより、スライドガラス１００の厚み部分を横側から押圧する場合と比較して、押圧面積を増加させることができるので、スライドガラス１００をより安定して支持することができる。
【００６９】
また、本実施形態では、上記のように、５つの板バネを一体的に形成することによって、各々の収納部２００ａに１つずつ板バネ２５１を組み付ける場合に比べて、マガジン２００の組立を迅速に行なうことができるとともに、部品点数を少なくすることができる。
【００７０】
また、本実施形態では、上記のように、５つの板バネ２５１をそれぞれ板バネ挿入用開口部２３２ａを介して５つの棚状部２３１に配置した状態で、側壁部２３０と固定板２４０とを板状の連結部２５３を挟むように固定することにより、５つの板バネ２５１をそれぞれ５つの棚状部２３１に固定的に配置するように構成することによって、板バネ挿入用開口部２３２ａを介して固定板２４０により、５つの板バネ２５１を容易に取り付けることができる。
【００７１】
また、本実施形態では、上記のように、収納部２００ａに対して開口２００ｂの反対側に、収納部２００ａに繋がるように設けられる開口２００ｃを設けることによって、標本画像撮像装置４により処理済のスライドガラス１００を開口２００ｃから挿入して、スライドガラス１００を収納部２００ａに収納することができるとともに、スライドガラス１００の収納後には、開口２００ｂを介してスライドガラス１００を出し入れすることができる。
【００７２】
また、本実施形態では、上記のように、板バネ２５１によってスライドガラス１００を棚状部２３１の上面２３１に押し付けるとともに、棚状部２３１の上面２３１ａの開口２００ｃ側の端部に凸部２３１ｆを設け、かつ、凸部２３１ｆと、凸部２３１ｆが突出する方向側に隣接する棚状部２３１の下面２３１ｂとの間隔Ｄ２を、スライドガラス１００の厚みｔ１よりも大きくすることによって、開口２００ｃからスライドガラス１００が脱落するのを抑制しながら、凸部２３１ｆと、凸部２３１ｆが突出する方向側に隣接する棚状部２３１の下面２３１ｂとの間からスライドガラス１００を挿入することができる。
【００７３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７４】
たとえば、上記実施形態では、スライドガラス１００を板バネ２５１によって棚状部２３１の上面２３１ａに押さえ付けるとともに、棚状部２３１の上面２３１ａの開口２００ｃ側の端部に凸部２３１ｆを設けることにより、スライドガラス１００が開口２００ｃから脱落するのを抑制するように構成した例を示したが、本発明はこれに限られない。すなわち、スライドガラスを板バネによって棚状部の下面に押さえ付けるとともに、棚状部２３１の下面の端部に凸部を設けてもよい。
【００７５】
また、上記実施形態では、５つの板バネ２５１を一体的に形成した例を示したが、本発明はこれに限らず、６つ以上または４つ以下の板バネを一体的に形成してもよい。
【図面の簡単な説明】
【００７６】
【図１】本発明の一実施形態によるマガジンが使用される標本画像撮像システムの全体構成を示す斜視図である。
【図２】図１に示した標本作製撮像システムの標本画像撮像装置を示す斜視図である。
【図３】図２に示した標本画像撮像装置およびパーソナルコンピュータを示すブロック図である。
【図４】図１に示した標本画像撮像システムに使用されるスライドガラスのフロスト部を示す拡大図である。
【図５】図２に示した標本画像撮像装置の詳細を説明するための斜視図である。
【図６】図５に示した標本画像撮像装置を示す側面図である。
【図７】図５に示した標本画像撮像装置の撮像部を示す模式図である。
【図８】図２に示した標本画像撮像装置のマガジン搬送機構部を示す斜視図である。
【図９】本発明の一実施形態によるマガジンの全体構成を示す斜視図である。
【図１０】図９に示したマガジンの矢印Ｐ方向から見た正面図である。
【図１１】図１０に示したマガジンの拡大図である。
【図１２】図１０の１００−１００線に沿った断面図である。
【図１３】図１２に示したマガジンの拡大図である。
【図１４】図９に示したマガジンの分解斜視図である。
【図１５】一実施形態によるマガジンの板バネ部を示す斜視図である。
【図１６】図１５に示した板バネ部の矢印Ｑ方向から見た平面図である。
【図１７】図１５に示した板バネ部の矢印Ｒ方向から見た側面図である。
【図１８】図１５に示した板バネ部の矢印Ｓ方向から見た正面図である。
【符号の説明】
【００７７】
１００  スライドガラス
２００ｂ  開口（第１開口部、開口部）
２００ｃ  開口（第２開口部、開口部）
２００  マガジン（収納具）
２３１  棚状部（載置部、支持部）
２３１ａ  上面
２３１ｂ  下面
２３０  側壁部（第２側壁部）
２３１ｆ  凸部（抜け止め部）  
２４０  固定板（固定部材）
２５１  付勢部（板バネ）
２５１ａ  押圧部
２５３  連結部
【図１】
2008139063.tif 000003
【図２】
2008139063.tif 000004
【図３】
2008139063.tif 000005
【図４】
2008139063.tif 000006
【図５】
2008139063.tif 000007
【図６】
2008139063.tif 000008
【図７】
2008139063.tif 000009
【図８】
2008139063.tif 000010
【図９】
2008139063.tif 000011
【図１０】
2008139063.tif 000012
【図１１】
2008139063.tif 000013
【図１２】
2008139063.tif 000014
【図１３】
2008139063.tif 000015
【図１４】
2008139063.tif 000016
【図１５】
2008139063.tif 000017
【図１６】
2008139063.tif 000018
【図１７】
2008139063.tif 000019
【図１８】
2008139063.tif 000020